(57)【要約】【課題】手足への装着性が容易であり、有効成分の皮膚への吸収を長時間にわたって行うことができ、薬美容液の使用量が少なくてすむ甲部スキンケアシートを提供する。【解決手段】手足の甲部を覆う平面状のシートであって、薬美容液の含浸が可能なケアシート１と、ケアシート１を手足に仮保持してズレ落ちないようにする仮保持部２とからなる。手の甲用は、ケアシート１が、手の甲と手指を覆う形状と大きさを有しており、仮保持部が、ケアシート１の先端部分に設けられた、指先を入れるポケット２である。ポケット２は、撥水性不職布で作られているので、薬美容液が染み込まず、装着が容易となる。ケアシート１は、平面状で面積も手の甲を覆えるだけの最小限で足りるので、薬美容液も無駄にならない。【選択図】        図１
0003115897.tif 000002
【実用新案登録請求の範囲】
【請求項１】
手足の少なくとも甲部を覆う平面状のシートであって、薬美容液の含浸が可能なケアシートと、
該ケアシートを手足の甲部表面に仮保持してズレ落ちないようにする仮保持部とからなる
ことを特徴とする甲部スキンケアシート。
【請求項２】
前記ケアシートが、少なくとも手の甲と手指を覆う形状と大きさを有しており、
前記仮保持部が、前記ケアシート部の先端部分裏面に設けられた、手の指先を入れるポケットである
ことを特徴とする請求項１記載の甲部スキンケアシート。
【請求項３】
前記ポケットが、撥水性不職布で作られている
ことを特徴とする請求項１記載の甲部スキンケアシート。
【請求項４】
前記ケアシートが、少なくとも足の甲と足指を覆う形状と大きさを有しており、
前記仮保持部が、前記ケアシート部の基端部分から延びるように設けられた、くくりひも部である
ことを特徴とする請求項１記載の甲部スキンケアシート。
【考案の詳細な説明】
【技術分野】
【０００１】
本考案は、甲部スキンケアシートに関する。さらに詳しくは、手や足の甲のスキンケアに用いられるケアシートに関する。
【背景技術】
【０００２】
手足の肌の手入れは、以前はひび、あかぎれ等肌荒れの程度の強いものに対して治療するというものであったが、現在は白くしっとりとした肌を保ち、加齢を感じさせない手足を保つという傾向となっている。
従来の手当て法は、日焼けに対しては炎症を抑える化粧水を化粧用コットンに含ませて塗る方法があり、保湿にはボディローションや保湿クリームを掌で塗ることがなされている。また、最近では、より高い効果を求めてエステティックサロンで手入れすることも行われている。
【０００３】
しかるに、化粧用コットンで塗布する場合は、薬美容液（スキンケア用の薬液または美容液をいう）を必要な量だけ塗布しようとすれば流れ落ちることが多く、長時間にわたって皮膚に吸収させることができない。そこで、長時間、薬美容液を皮膚に密着させうるものとして、薬美容液を含浸させたシートで湿布することが考えられ、すでに手袋型、ソックス型のケア用品が考案されている（特許文献１〜３）。
【０００４】
しかしながら、手袋型のケア用品は手指の全てを細い袋状部分に入れなければならないが、薬液で濡れた部分に指を入れることは容易ではない。とくに、片方の手に装着して、もう一方の手にも装着することはできなかった。また、ソックス型のものは、足を入れるのは手を入れるより、体を曲げたりしなければならないので、かなり伸びる素材でなければ使用することができないという欠点がある。
【０００５】
さらに上記のごとき手袋型やソックス型では、薬美容液が甲以外の掌や足裏に当る部分、つまり手入れするには必要のない余分な部分にも液を含浸せざるをえなかったことから、必要以上の量を無駄に使用することとなっていた。そして、これらの薬美容液は高価なものが多いので、スキンケアを差し控えることにもなっていた。
【０００６】
【特許文献１】特開２００１−６４８０９
【特許文献２】特開２００４−１４３６１０
【特許文献３】特開２００４−２４８７６０
【考案の開示】
【考案が解決しようとする課題】
【０００７】
本考案は上記事情に鑑み、手足への装着性などの取扱いが容易であり、有効成分の皮膚への吸収を長時間にわたって行うことができ、薬美容液の使用量が少なくてすむ甲部スキンケアシートを提供することを目的とする。
【課題を解決するための手段】
【０００８】
第１考案の甲部スキンケアシートは、手足の少なくとも甲部を覆う平面状のシートであって、薬美容液の含浸が可能なケアシートと、該ケアシートを手足の甲部表面に仮保持してズレ落ちないようにする仮保持部とからなることを特徴とする。
第２考案の甲部スキンケアシートは、第１考案において、前記ケアシートが、少なくとも手の甲と手指を覆う形状と大きさを有しており、前記仮保持部が、前記ケアシート部の先端部分裏面に設けられた、手の指先を入れるポケットであることを特徴とする。
第３考案の甲部スキンケアシートは、第１考案において、前記ポケットが、撥水性不職布で作られていることを特徴とする。
第４考案の甲部スキンケアシートは、第１考案において、前記ケアシートが、少なくとも足の甲と足指を覆う形状と大きさを有しており、前記仮保持部が、前記ケアシート部の基端部分から延びるように設けられた、くくりひも部であることを特徴とする。
【考案の効果】
【０００９】
第１考案によれば、ケアシート部は平面状のシートであるから甲部の上に載せるだけで含浸させた薬美容液を手足の甲部に浸透させることができ、指や手足の全部を挿入する必要がないので、装着が容易となる。また、仮保持部によってケアシート部は甲部表面からズレ落ちないようにできるので、薬美容液の浸透を長時間にわたって確保できる。さらに、甲部等を覆う平面状のシートにのみ薬美容液を含浸させればよく、手や足の余分な部分に薬美容液を含浸させる状態が発生しないので、薬美容液の使用量を低減できる。
第２考案によれば、手の甲と指を覆えるだけの面積の小さいシートであるから、薬美容液を無駄に使うことなく、使用量を低減できる。仮保持部は手の指先を入れるポケットであるから小さくてよく、それでも指先でケアシート部を仮保持できるので、取扱いが容易である。また、ケアシート部が勝手に脱落しないので、長時間にわたって薬美容液を甲部に浸透させることができる。
第３考案によれば、ポケットが撥水性を有するので、この部分には薬美容液が浸透しないので、薬美容液の使用量を低減できる。また、ポケットが湿らないことから指の出し入れが容易に行え、取扱いがよくなる。
第４考案によれば、足の甲と指を覆えるだけの面積の小さいシートであるから、薬美容液を無駄に使うことなく、使用量を低減できる。仮保持部は足首にくくりつけるひも部であり、それでケアシート部を仮保持できるので、取扱いが容易である。また、ケアシート部が勝手に脱落しないので、長時間にわたって薬美容液を甲部に浸透させることができる。
【考案を実施するための最良の形態】
【００１０】
つぎに、本考案の実施形態を図面に基づき説明する。
本考案の甲部スキンケアシートは、掌と手の甲、足の裏と足の甲では、肌の質が違うため、使用する薬美容液も違えば、スキンケアの目的にも違いがあることに着目し、手の甲、足の甲のケアに目的を絞った点に特徴がある。
【００１１】
（第１実施形態）
図１は本考案の第１実施形態に係る甲部スキンケアシートの斜視図、図２は図１の甲部スキンケアシートの背面図である。
本実施形態のスキンケアシートＳは、手の甲用である。このスキンケアシートＳは、ケアシート１と仮保持部２からなる。
【００１２】
（ケアシート１）
ケアシート１は、少なくとも手の甲と手指を覆う形状と大きさを有している。とくに手の甲に薬美容液を浸透させる形状と大きさであればよく、掌を覆う必要はない。但し、甲に続く手首を覆う大きさのものとしてもよく、このような形態も本考案に含まれる。このような意味で、本考案のケアシートは必要以上に大きくする必要もない。要するに手の甲等を覆うのに必要最小限の大きさのシートであればよい。
【００１３】
形状は全体的には長方形の四隅を丸めたもの、あるいは楕円形に近い形状である。指先側は左右両隅に丸みを付けている。また、ケアシート１の手首に近い部分は斜辺に形成したことにより、手首の下でケアシート１が肌から剥がれることが無く、使用感が良くなっている。
【００１４】
ケアシート１の素材は、天然繊維または天然繊維と合成繊維でできている不織布で、肌への刺激が少なく肌触りのよいものが好ましい。また、薬美容液を含浸保持させる含浸性を有することが必須である。
【００１５】
（仮保持部）
仮保持部としてケアシート１の先端部分裏面に指を挿入するポケット２が設けられている。このポケット２は、その周縁部をケアシート１に対し接着やヒートシールなどの任意の接着方法で接合するとよい。
また、接合部分は、先端縁と両側縁の全長でもよいが、両側縁については、基端部に接合しない部分を残してもよい。このように非接合部分を残しておくと、指を差し込もうとする時に、非接合部分が垂れ下ってくるので、差込み口を視認しやすく、指も入れやすくなる。
また、視認の容易性を高める面からは、ポケット２の全部または非接合部に着色してもよい。
【００１６】
さらに、前記ポケット２は、例えば中指１本を入れる大きさのものでよい。２本以上の指を入れてもよいが、その場合は使用中に２本以上の指を余り動かさないようにしなければならない。指が１本であると、他の指を多少動かしてもよいので、使い勝手がよい。また、ポケット２の深さ（長さ）は、指の半分位でよく、長すぎると指の出し入れが困難になる。
このポケット２に指を１本（例えば、中指）入れることによって、ケアシート１を簡単に適切な位置に保持でき、長時間、薬美容液を浸透させることができる。
【００１７】
ポケット２の素材はケアシート１と同じでも差し支えないが、できれば撥水性を有する不織布にするのが好ましい。その場合、ポケット２が撥水性を有するので、この部分には薬美容液が浸透しないので、薬美容液の使用量を低減できる。また、ポケット２が湿らないことから指の出し入れが容易に行え、取扱いがよくなる。
【００１８】
上記ポケット２の利点を列挙すると、以下のとおりである。
１）ポケット２に指を入れることで、おのずとケアシート１の位置が決まり、手首まで広げて密着させた後もずれることがない。
２）片手に装着した後もポケット２に入れていない指は自由に動かせるので、もう片方の手に甲部スキンケアシートＳを容易に装着することができる。
３）手袋型に比べシンプルな形状のため、製造工程が簡素化され、安価な商品を供給できる。
【００１９】
図１および図２に示したポケット２は、ポケット２の周縁をケアシート１の裏面に接着しただけの平面的なものであるが、つぎのような例も好ましい。
図３の例は、ポケット２の側面にマチ３を付けたものであり、図４の例は、ポケット２の表面中央にマチ３を付けたものである。このようにマチ３を付けて、ポケット２を立体的すると、指の出し入れが容易になり、また入り口が目視で分かり易くなるので使い勝手がよい。
このような図３や図４に示すポケット２にも、非接合部を設けたり、着色することは任意である。
【００２０】
（使用方法）
本考案の甲部スキンケアシートＳを使用する場合は、使用する前に薬美容液、すなわち症状に応じた薬液や美容液をケアシート１に含浸させておく。そして、ポケット２に中指を入れて保持し、ついで、手の甲から手首にひろげ、皮膚に密着させる。このようにすると、手の甲や手首に適切な薬液や美容液を含浸させることができる。
【００２１】
（第２実施形態）
図５は本考案の第２実施形態に係る甲部スキンケアシートの平面図、図６は図５の甲部スキンケアシートの使用状態説明図である。
この実施形態は、足の甲用のスキンケアシートである。
ケアシート１は、少なくとも足の甲と足指を覆う形状と大きさを有しているが、足首まで覆う大きさとしてもよい。仮保持部は、ケアシート１の基端部分から延びるように設けられた、くくりひも部４である。このケアシート１は、先端部が足の指を覆える広さを有しており、基端部に向かうにつれて幅が徐々に広がっている。そして、基端部の左右両端からは、細くなりながら延び、その延びた部分がくくりひも部４となっている。
素材は図１の実施例と同様の不織布等を使うことができる。
【００２２】
本実施形態の甲部スキンケアシートＳでは、少なくとも足の甲を覆えるだけの面積の小さいシートでよいので、薬美容液を無駄に使うことなく、使用量を低減できる。仮保持部は足首にくくりつけるひも部４であるから小さくてよく、それでケアシート１を仮保持できるので、取扱いが容易である。また、ケアシート１が足の甲部表面から勝手に脱落しないので、長時間にわたって薬美容液を甲部に浸透させることができる。
【産業上の利用可能性】
【００２３】
本考案は、主に美容目的で使用されるが、治療目的にも使用することができる。そして、既述のごとく、求められる効果に適した美容液または薬液を無駄なく肌に密着できる。このためかなり高価な美容液を使用する場合でも、安価にスキンケアをすることができる。また、甲部スキンケアシートＳ自体は不織布を用いた単純な形状の製品であるので、安価な商品を供給することができる。
【図面の簡単な説明】
【００２４】
【図１】本考案の第１実施形態に係る甲部スキンケアシートの斜視図である。
【図２】図１の甲部スキンケアシートの背面図である。
【図３】ポケット部の他の例を示す説明図である。
【図４】ポケット部の更に他の例を示す説明図である。
【図５】本考案の第２実施形態に係る甲部スキンケアシートの平面図である。
【図６】図５の甲部スキンケアシートの使用状態説明図である。
【符号の説明】
【００２５】
Ｓ    甲部スキンケアシート
１    ケアシート
２    ポケット
３    マチ
４    くくりひも部
【図１】
0003115897.tif 000003
【図２】
0003115897.tif 000004
【図３】
0003115897.tif 000005
【図４】
0003115897.tif 000006
【図５】
0003115897.tif 000007
【図６】
0003115897.tif 000008